(57)【要約】      （修正有）【課題】インテリア商品購入予定者がどこに住んでいようと、インテリアコーディネーターによる間取りへのインテリア商品のシミュレート３Ｄ画面確認により、住宅関連商品を購入できる発注システムを提供する。【解決手段】インテリアコーディネートサービス提供業者側サーバー１とインテリア商品の購入希望者側モニター２がインターネット回線で接続され、インテリアレイアウトのシミュレーション作業画面が双方の画面に表示され、また互いに音声あるいは画面入力により連絡できるコンピュータネットワークを構成するとともに、インテリアコーディネートサービス提供業者サーバー１においては間取りと住宅関連商品を３次元形状データ化する３Ｄ変換処理手段５と、レイアウトシミュレーション手段７を備える。【選択図】図２
2011090545.tif 000002
【特許請求の範囲】
【請求項１】
インテリアコーディネートサービス提供業者側サーバーとインテリア商品の購入希望者側モニターとがインターネット回線で接続されインテリアレイアウトのシミュレーション作業画面が双方の画面に表示されるコンピュータネットワークを構成し、インテリアコーディネートサービス提供業者サーバーにおいては間取りおよび住宅関連商品を３次元形状データ化するする３D変換処理手段と、変換された間取り３および住宅関連商品４の３Dデータを保存する３Dデータサーバー６と、間取り３Dデータを読み出し、住宅関連商品３Dデータを配置自在であるレイアウトシミュレーション手段を備えることを特徴とするインテリアシミュレーションによる住宅関連商品発注システム。
【請求項２】
インテリアコーディネートサービス提供業者側サーバーとインテリア商品の購入希望者側モニターとがインターネット回線で接続されインテリアレイアウトのシミュレーション作業画面が双方の画面に表示されるコンピュータネットワークを構成し、インテリアコーディネートサービス提供業者サーバーにおいては間取りおよび住宅関連商品を３次元形状データ化するする３D変換処理手段と、変換された間取り３および住宅関連商品４の３Dデータを保存する３Dデータサーバー６と、間取り３Dデータを読み出し、住宅関連商品３Dデータを配置自在であるレイアウトシミュレーション手段を備え、上記レイアウトシミュレーション手段からシミュレーション結果が入力されると見積もりデータを購入希望者側モニターに表示させることを特徴とするインテリアシミュレーションによる住宅関連商品発注システム。
【発明の詳細な説明】
【技術分野】
【０００１】
本発明は、インテリアシミュレーションによる住宅関連商品発注システムに関するものである。
【背景技術】
【０００２】
従前からインテリア商品の購入希望者とインテリアコーディネーターとの対面販売は行なわれている。すなわちインテリアコーディネーターが購入予定者の希望条件に基づいて適切なアドバイスを行い、それにより購入予定者がインテリア商品を決めるものである。
しかしながら、このようなインテリア商品の購入希望者とインテリアコーディネーターとの対面販売は、インテリアコーディネーターが常駐しているインテリアショップなどのインテリア商品の販売場所では、直接にインテリア商品の購入希望者が出向くことにより行なうことが出来るが、逆に言えば、インテリア商品の販売場所が近くになければできないことはもちろんであるが、インテリアショップなどのインテリア商品の販売場所が近くにあってもインテリアコーディネーターが常駐していなければできないことを意味する。このように、インテリアコーディネーターによるアドバイスを求めようとしてもインテリアコーディネーターがいない場合、インテリア商品の購入希望者は相談する相手がいないままにインテリア商品を購入せざるを得ないこととなる結果、購入したインテリア商品に不満を覚えることが多分にあったものである。
【０００３】
また、インテリアの趣味がある人であればともかく、インテリアコーディネーターが
いない場合、一般人にとっては、どのような商品を選ぶか、またどこで購入するか、その予算はいくらにするか、さらには間取りに合うサイズかなどを考えると、その選定に費やす苦労には人によって差はあっても相当なものがあること、なかにはサイズを間違えて購入してしまったなどという失敗例もあるであろうことなどが容易に推測された。
【０００４】
このように、インテリアコーディネーターによるアドバイスを求めようとしてもインテリアコーディネーターと接触する環境にないインテリア商品の購入希望者がいるという現状があった。
【先行技術文献】
【特許文献】
【０００５】
【特許文献１】特開２００２−２０７９８２号公報
【特許文献２】特開２００３−２３０３７７号公報
【発明の概要】
【発明が解決しようとする課題】
【０００６】
解決しようとする問題点は、インテリア商品の購入予定者は、どこに住んでいようと、極端にいえば僻地や離島であろうと、購入予定者の指示に従いインテリアコーディネーターが間取りにインテリア商品をシミュレート操作した作業過程を３D画面で確認するというリモートサポートを受けた上で住宅関連商品を購入できる点にある。
【課題を解決するための手段】
【０００７】
本発明は、インテリアコーディネートサービス提供業者側サーバーモニターとインテリア商品の購入希望者側モニターがインターネット回線で接続され、インテリアレイアウトのシミュレーション作業画面が双方の画面に表示され、また互いに音声あるいは画面入力により連絡できるコンピュータネットワークを構成するとともに、インテリアコーディネートサービス提供業者サーバーにおいては間取りと住宅関連商品を３次元形状（three dimensions）データ化するする３D変換処理手段と、この変換された３Dデータに基づいてインテリアレイアウトのシミュレーションをするレイアウトシミュレーション手段を備え、よって、インテリアコーディネーターと購入希望者とが音声あるいは画面入力によりやり取りしながら、間取りに住宅関連商品を３D画面上で配置するインテリアレイアウトシミュレーション作業画面を双方のモニターにリアルタイムに表示させるようにすることを特徴とする。
【０００８】
また本発明は、インテリアコーディネートサービス提供業者側サーバーモニターとインテリア商品の購入希望者側モニターがインターネット回線で接続され、インテリアレイアウトのシミュレーション作業画面が双方の画面に表示され、また互いに音声あるいは画面入力により連絡できるコンピュータネットワークを構成するとともに、インテリアコーディネートサービス提供業者サーバーにおいては間取りと住宅関連商品を３次元形状（three dimensions）データ化するする３D変換処理手段と、この変換された３Dデータに基づいてインテリアレイアウトのシミュレーションをするレイアウトシミュレーション手段を備え、よって、インテリアコーディネーターと購入希望者とが音声あるいは画面入力によりやり取りしながら、間取りに住宅関連商品を３D画面上で配置するインテリアレイアウトシミュレーション作業画面を双方のモニターにリアルタイムに表示させる一方、間取りおよび住宅関連商品の３Dデータを保存する３Dデータサーバーと、上記レイアウトシミュレーション手段からシミュレーション結果が入力されると見積もりデータを購入希望者側モニターに表示させることを特徴とする。
【発明の効果】
【０００９】
本発明のインテリアシミュレーションによる住宅関連発注システムは、インテリア商品の購入予定者は、どこに住んでいようと、購入予定者の指示に従ってインテリアコーディネーターがシミュレートした作業過程をモニター画面で確認した上で住宅関連商品を購入できる点にある。
【図面の簡単な説明】
【００１０】
【図１】図１は本発明のインテリアシミュレーションによる住宅関連商品発注システムを不動産業者に適用した基本概要図である。
【図２】図２は本発明のインテリアシミュレーションによる住宅関連商品発注システムの概略フローチャート図である。
【図３】本発明のインテリアシミュレーションによる住宅関連商品発注システムを不動産業者に適用した実施例を示すフローチャート図である。（実施例１）
【図４】本発明の別のインテリアシミュレーションによる住宅関連商品発注システムを不動産業者に適用した別の実施例を示すフローチャート図である。（実施例２）
【図５】図５は本発明のインテリアシミュレーションによる住宅関連商品発注システムのインテリアシミュレート画面の作業過程図である。
【発明を実施するための形態】
【００１１】
図１は、本発明のインテリアシミュレーションによる住宅関連商品発注システムを不動産業者に適用した基本概要図である。
【００１２】
図２は、本発明のインテリアシミュレーションによる住宅関連商品発注システムの概略フローチャート図である。
本発明に係るインテリアシミュレーションによる住宅関連商品発注システムは、インテリアコーディネートサービス提供業者側サーバー１とインテリア商品の購入希望者側モニター２とがインターネット回線で接続され、インテリアレイアウトのシミュレーション作業画面が双方の画面に表示され、また音声あるいは画面入力により相互に連絡できるコンピュータネットワークを構成するとともに、インテリアコーディネートサービス提供業者サーバー１においては間取り３および住宅関連商品４を３次元形状（three dimensions）データ化する３D変換処理手段５が置かれ、この３D変換処理手段５において変換された間取り３および住宅関連商品４の３Dデータは３Dデータサーバー６に保存される。他方、間取り３Dデータを読み出し、少なくとも３Dデータサーバー６に保存されている間取り３Dデータおよび商品アイテム（住宅関連商品）３Dデータを読み出し、画面上で間取り３Dデータに商品アイテム（住宅関連商品）３Dデータを配置し、確定したシミュレーション結果を保存することが可能であるレイアウトシミュレーション手段７（３Dソフト）が備えられている。実際の作業においては、インテリアコーディネーターが操作するレイアウトシミュレーション手段（３Dソフト）７の作業経過はインテリアコーディネーターおよび購入希望者の双方のモニター画面でリアルタイムに見ることができ、インテリアコーディネーターおよび購入希望者はやり取り８を重ねながら作業を進めることができる。最終的にレイアウトが決まると、シミュレーション結果はシミュレーション結果データサーバー１０に送られ保存されるとともに商品データサーバー１１に送られ、この商品データサーバー１１に保存されている商品のデータ（メーカー名・型番・品名・価格等）と照合され見積りが計算処理され、見積り結果データが出力１２され購入希望者側モニター２に表示される。このように購入希望者モニター２でインテリアシミュレーション結果と見積りを確認できる。購入希望者が確認して住宅関連商品の注文入力１３がなされるとインテリアコーディネートサービス提供業者側サーバー１では住宅関連商品受注および商品発注１４がなされ、見積り・受注管理サーバー１５を介して住宅関連商品業者１６に商品が発注されることとなる。
【実施例１】
【００１３】
図３は、本発明のインテリアシミュレーションによる住宅関連商品発注システムを不動産業者に適用した実施の一例を示す概要図である。不動産業者側モニターとサービス提供業者側サーバーとがインターネット回線で接続されコンピュータネットワークを構成している。サービス提供業者サーバーは各種のサーバー機能を備え提供している。ここでは説明の便宜のために、WEBデザイナー、CGクリエーター、インテリアコーディネーターをモデルに説明しているが、プログラムにより自動化できることはいうまでもない。WEBデザイナーは空室物件検索の構築とその管理と運営を担当する。CGクリエーターは間取り、そしてアイテム提携会社（住宅関連商品業者）から提供された商品アイテム（住宅関連商品）を３D化プログラムにより３次元形状（three dimensions）データ化する。インテリアコーディネーターは３Dデータに基づいて３Dプログラムにより間取りに商品アイテム（住宅関連商品）を配置・移動・再配置等のインテリアレイアウトのシミュレーションをする。レイアウトシミュレーション手段によるシミュレーションの結果および見積もりはＦＣ店舗（不動産業者側）モニターにリアルタイムに表示され、不動産業者および入居者が確認できる。
そして、入居者がそのシミュレーション結果に満足すれば、賃貸契約申し込みとアイテムの注文を同時にすることができる。この実施例では、ＦＣ店舗（不動産業者側）モニター画面入力により不動産業者が商品アイテムを注文し、入居者がアイテム購入代金をサービス提供業者に支払うと、サービス提供業者からアイテム提携会社（住宅関連商品業者）に商品アイテムの注文がなされ、アイテム提携会社（住宅関連商品業者）は入居者（賃貸物件契約者）に商品アイテムを納品することとなる。
【実施例２】
【００１４】
図４は、本発明のインテリアシミュレーションによる住宅関連商品発注システムを不動産業者に適用した別の実施例の概要図である。サービス提供業者側サーバー２０に不動産業者側モニター２１とインテリアコーディネーター側モニター２２がインターネット回線で接続されコンピュータネットワークを構成している。サービス提供業者側サーバー２０は各種のサーバー機能を備えている。従前から利用されている不動産物件情報のネットワーク、すなわち不動産情報が入力２３されると物件情報データサーバー２４は物件情報データを空室管理システム２５に送り空室管理処理されるとともに、インターネット回線を介して不動産業者側モニター２１に表示されるシステムも含まれている。本発明のインテリアシミュレーションによる住宅関連発注システムはそれとは別に、不動産情報が入力２０されると不動産物件間取りを３次元形状（three dimensions）データ化する３D変換処理手段２６に送られて３Dデータ化処理される。この３D変換処理手段２６はまた住宅関連商品をも３次元形状（three dimensions）データ化し、いずれも３Dデータサーバー２７に保存される。レイアウトシミュレーション手段２８は、少なくとも３Dデータサーバー２７に保存されている間取り３Dデータおよび商品アイテム（住宅関連商品）３Dデータを読み出し、画面上で間取り３Dデータに商品アイテム（住宅関連商品）３Dデータを配置し、確定したシミュレーション結果を保存することが可能な３Dソフトが使用されている。この実施例では、図５に示されるように、その他、入居者による検討のために、任意の視点場への変更・確定、また他商品アイテム（住宅関連商品）と比較検討するために、家具データの消去、変更後の家具データの配置、変更後のシミュレーション結果画像生成等が可能となっている。入居者は、インテリアコーディネーターが操作するこのレイアウトシミュレーション手段７の作業経過をモニター２画面でリアルタイムに見ながらインテリアコーディネーターとやり取りを重ねる。最終的にレイアウトが決まると、シミュレーション結果はシミュレーション結果データサーバー２９に保存される。
一方、あらかじめ住宅関連商品業者から提供された商品３Dデータ化資料（CADデータ、カタログ等）は商品データ（メーカー名・型番・品名・価格等）として商品データサーバー３０に保存され、シミュレーション結果がこの商品データサーバー３０には送られてくると見積もり結果データとして処理出力３１され、不動産業者側モニターに表示されるとともに、見積り・受発注管理サーバー３２に保存・管理される。
そして、入居者がそのシミュレーション結果に満足すれば、賃貸契約申し込みと住宅関連商品の注文を同時にすることができる。この実施例では、入居者、不動産業者から住宅関連商品の注文がサービス提供業者になされ、これによりサービス提供業者は住宅関連商品受注データおよび商品発注の入力をすると、見積り・受発注管理サーバー３２を経て住宅関連商品業者に住宅関連商品の発注がなされることとなる。
【００１５】
尚、本発明のインテリアシミュレーションによる住宅関連商品発注システムは、上記実施例ではインテリアコーディネートサービス提供業者側サーバー１をサービス提供業者側サーバー２０に、また購入希望者側モニター２を不動産業者側モニター２１に置き換えて説明したが、もちろん本発明に係るインテリアシミュレーションによる住宅関連商品発注システムの適用対象は不動産業に限らず、インテリアショップや家具店あるいはインテリアのネット通販などインテリアレイアウトのシミュレーションの要望があるどのような形態の産業にも適用することができる。
また、本発明のインテリアシミュレーションによる住宅関連商品発注システムの中心となるサービス提供業者側サーバーは、上記したように各種のサーバー機能を備えるが、同一のコンピュータあるいは複数のコンピュータに持たせることができる。
さらに、本発明のインテリアシミュレーションによる住宅関連商品発注システムは、サービス提供業者側サーバーにユーザーの所有する市販パソコンからネット接続するだけでリモートサポートすることも可能であり、インテリアコーディネーターが近辺にいない場所、極端に言えば僻地や島などでもユーザーにパソコンとインターネット環境があれば利用できる。
さらにまた、本発明のインテリアシミュレーションによる住宅関連商品発注システムにおける住宅関連商品は、家具、家電品、照明器具、カーテン、雑貨等インテリアに属するどのような商品でもよい。
【産業上の利用可能性】
【００１６】
本発明のインテリアシミュレーションによる住宅関連商品発注システムは、インテリア商品の購入予定者は、どこに住んでいようと、購入予定者の指示に従ってインテリアコーディネーターがシミュレートした作業過程をモニター画面で確認するという十分な検討の上で住宅関連商品を購入できるメリットがある。
【符号の説明】
【００１７】
１    インテリアコーディネートサービス提供業者側サーバー
２    インテリア商品の購入希望者側モニター
３    間取り情報
４    住宅関連商品情報
５    ３D変換処理手段
６    ３Dデータサーバー
７    レイアウトシミュレーション手段
８    音声あるいは画面入力により連絡
９    レイアウトシミュレーション結果送信
１０  シミュレーション結果データサーバー
１１  商品データサーバー
１２  見積り結果データ出力
１３  住宅関連商品注文入力
１４  住宅関連商品受注および商品発注
１５  見積り・受注管理サーバー
１６  住宅関連商品業者
２０  サービス提供業者側サーバー
２１  不動産業者側モニター
２２  インテリアコーディネータモニター
２３  不動産情報入力
２４  物件情報データサーバー
２５  空室管理システム
２６  ３D変換処理手段
２７  ３Dデータサーバー
２８  レイアウトシミュレーション手段（プログラム）
２９  シミュレーション結果データサーバー
３０  商品データサーバー
３１  見積結果データ処理出力
３２  見積り・受発注管理サーバー
【図１】
2011090545.tif 000003
【図２】
2011090545.tif 000004
【図３】
2011090545.tif 000005
【図４】
2011090545.tif 000006
【図５】
2011090545.tif 000007